(57)【要約】【課題】  プリント処理の途中に印画紙の交換が行われても、画像データ等を再度読み取ることなく、交換された印画紙に対して適正な状態で一連のプリント処理を再開できる写真処理装置を提供する。【解決手段】  印画紙Ｐが無くなってプリント処理が中断されたときに、プリント処理が行われていない画像データを少なくとも記憶する記憶手段１４２，１４３を備え、収納手段２００ａ，２００ｂに対して交換された印画紙Ｐを用いて出力されたテストプリントに基づいて設定された発色補正データを、記憶手段１４２，１４３に記憶した画像データに反映させた合成画像データを作成し、該合成画像データを基にして中断された一連のプリント処理を再開可能に構成したことを特徴とする。【選択図】図１
2006319382.tif 000002
【特許請求の範囲】
【請求項１】
長尺な印画紙を交換可能に収納する収納手段と、収納手段から送り込まれてくる印画紙にプリント処理を行うプリント手段と、画像データを読み取る読取手段とを備え、収納手段に収納された印画紙を用いて出力されたテストプリントに基づいて設定された発色補正データを前記画像データに反映させた合成画像データを作成し、該合成画像データを基にプリント手段でプリント処理を行う写真処理装置において、印画紙が無くなってプリント処理が中断されたときに、プリント処理が行われていない画像データを少なくとも記憶する記憶手段を備え、収納手段に対して交換された印画紙を用いて出力されたテストプリントに基づいて設定された発色補正データを、記憶手段に記憶した画像データに反映させた合成画像データを作成し、該合成画像データを基にして中断された一連のプリント処理を再開可能に構成したことを特徴とする写真処理装置。
【請求項２】
読取手段で読み取った画像データを適正化させる画像補正データを設定可能に構成され、記憶手段は、プリント処理が中断したときに、前記画像データと共に画像補正データを記憶し、プリント手段が前記画像データに対し、発色補正データ、及び画像補正データを反映させた合成画像データを基にプリント処理を再開するように構成されている請求項１記載の写真処理装置。
【請求項３】
前記読取手段は、フィルムに形成された複数の駒画像のそれぞれを画像データとして読み取るフィルムスキャナであり、前記複数の駒画像のそれぞれを二回読み取るように構成されると共に、二回目の読み取りが一回目の読み取りよりも高精度に設定され、一回目に読み取った各画像データを基に前記画像補正データを設定し、二回目に読み取った画像データに対し、発色補正データ、及び画像補正データを反映させた合成画像データを基にプリント処理を行うようにした請求項２記載の写真処理装置。
【発明の詳細な説明】
【技術分野】
【０００１】
本発明は、フィルムや各種メディアから読み取った画像データを基に、印画紙に対してプリント処理を行う写真処理装置に関する。
【背景技術】
【０００２】
従来から、印画紙に露光・現像処理を施してプリント処理を行う写真処理装置が知られている。かかる写真処理装置は、画像データを読み取る読取手段と、各種データを一時的或いは長期的に記憶する記憶手段と、長尺な印画紙を交換可能に収納する収納手段と、収納手段から送り込まれてくる印画紙に前記画像データに基づいてプリント処理（露光・現像処理）を行うプリント手段とを備えている。
【０００３】
前記読取手段としては、複数の駒画像が形成された帯状のフィルムを長手方向に搬送し、その搬送中のフィルムから各駒画像を順々に画像データとして読み取るフィルムスキャナや、ＣＤやＤＶＤ、メモリカード等の各種メディアに記憶された画像データを読み取るメディアドライブ等が採用されている。
【０００４】
このように印画紙に対して露光・現像処理を行う写真処理装置は、印画紙の種類や、メーカー、現像条件等の違いによって、各印画紙の発色特性が異なるという理由から、収納手段に対して印画紙を交換したときに、画像データを印画紙の発色特性に適合化させる補正データ（発色補正データ）を設定（セットアップ）するようになっており、発色補正データを画像データに反映させて合成画像データを作成し、該合成画像データを基にプリント処理（出力）するようになっている。
【０００５】
ところで、プリント処理を行うと当然に印画紙が消費されていき、プリント処理の最中に印画紙が無くなってしまう場合がある。このような場合には、プリント処理されていない合成画像データ（未処理の合成画像データ）が記憶手段に一時的に記憶され、収納手段に対して印画紙を交換した後に、記憶した合成画像データを基にプリント処理が再開されるようになっている（例えば、特許文献１参照）。
【特許文献１】特開２００４−７８１１２号公報
【発明の開示】
【発明が解決しようとする課題】
【０００６】
しかしながら、上述の如く、印画紙は、メーカーや種類等の相違によってそれぞれ発色特性が異なるため、プリント処理が再開されるに際し、一時的に記憶させた合成画像データを基にプリント処理を行うと適正なプリントを得ることができなかった。即ち、一時的に記憶させた合成画像データは、交換前の印画紙の発色特性に合わせた発色補正データを反映させたものであるので、交換後の印画紙の発色特性に合っておらず、該交換後の印画紙で適正なプリント出力を行うことができないといった問題があった。
【０００７】
また、このような事態になるのを防止すべく、印画紙の交換に併せて、画像データを読み直すことも考えられるが、途中まで行ったプリント処理が無駄になる上に、やり直しの作業が増えて作業者にとって非常に煩雑なものとなってしまう。
【０００８】
そこで、本発明は、斯かる実情に鑑み、プリント処理の途中で印画紙の交換が行われても、画像データ等を再度読み取ることなく、交換された印画紙に適合した状態でプリント処理を再開できる写真処理装置を提供することを課題とする。
【課題を解決するための手段】
【０００９】
本発明にかかる写真処理装置は、長尺な印画紙を交換可能に収納する収納手段と、収納手段から送り込まれてくる印画紙にプリント処理を行うプリント手段と、画像データを読み取る読取手段とを備え、収納手段に収納された印画紙を用いて出力されたテストプリントに基づいて設定された発色補正データを前記画像データに反映させた合成画像データを作成し、該合成画像データを基にプリント手段でプリント処理を行う写真処理装置において、印画紙が無くなってプリント処理が中断されたときに、プリント処理が行われていない画像データを少なくとも記憶する記憶手段を備え、収納手段に対して交換された印画紙を用いて出力されたテストプリントに基づいて設定された発色補正データを、記憶手段に記憶した画像データに反映させた合成画像データを作成し、該合成画像データを基にして中断された一連のプリント処理を再開可能に構成したことを特徴とする。
【００１０】
上記構成の写真処理装置によれば、印画紙が無くなってプリント処理が中断されたときに、少なくともプリント処理が行われていない画像データを記憶する記憶手段を備えているので、プリント処理を再開するにあたり、画像データを読み直す作業を必要としない。その上、記憶手段に記憶させた画像データに対し、交換された印画紙を用いて出力されたテストプリントに基づいて設定された発色補正データを反映させるようにしたので、これによって作成される合成画像データは、交換後の印画紙の発色特性に適合したものとなり、印画紙の種類等が変更されても、一連のプリント処理の全体を通じて品質良好なプリントを得ることができる。
【００１１】
本発明の一態様として、読取手段で読み取った画像データを適正化させる画像補正データを設定可能に構成され、記憶手段は、プリント処理が中断したときに、前記画像データと共に画像補正データを記憶し、プリント手段が前記画像データに対し、発色補正データ、及び画像補正データを反映させた合成画像データを基にプリント処理を再開するように構成されてもよい。このように画像データに対して画像補正データ及び発色補正データを反映させれば、画像（画像データ）の明度や鮮明度、色調を整え、更に印画紙の発色特性を加味した良好な合成画像データを得ることができる。従って、高品質な画像が要求される写真処理分野において好適である。
【００１２】
さらに、前記読取手段は、フィルムに形成された複数の駒画像のそれぞれを画像データとして読み取るフィルムスキャナであり、前記複数の駒画像のそれぞれを二回読み取るように構成されると共に、二回目の読み取りが一回目の読み取りよりも高精度に設定され、一回目に読み取った各画像データを基に前記画像補正データを設定し、二回目に読み取った画像データに対し、発色補正データ、及び画像補正データを反映させた合成画像データを基にプリント処理を行うようにしてもよい。このようにすれば、一回目に読み取った画像データ（画像）の状況を確認（プレジャッジ）した上で、その画像データに対して適正な画像補正データを設定することができ、一回目よりも高精度で読み取られた二回目の画像データに対して発色補正データ、及び画像補正データを反映させれば、適正化された品質良好な画像データを更に印画紙の発色特性に適合させた高品質なもの（合成画像データ）にすることができ、これを基にプリント出力することで極めて高品質なプリントを得ることができる。
【発明の効果】
【００１３】
以上のように、本発明の写真処理装置によれば、プリント処理の途中で印画紙の交換が行われても、画像データ等を再度読み取ることなく、交換された印画紙に適合した状態でプリント処理を再開できるという優れた効果を奏し得る。
【発明を実施するための最良の形態】
【００１４】
以下、本発明の一実施形態に係る写真処理装置について、添付図面を参照しつつ説明する。
【００１５】
本実施形態に係る写真処理装置は、図１及び図２に示す如く、該写真処理装置の全体の制御を行う制御部１と、該制御部１からの指示に基づいてプリント出力を行うプリント部２とを備えている。
【００１６】
該制御部１は、各処理の処理状況や操作案内等を表示するモニター１０と、該モニター１０の表示に基づいて入力操作を行うための入力手段１１と、プリント部２でプリント処理を行う画像データを読み取る読取手段１２と、プリント処理を行うに際し、印画紙Ｐの発色特性を測定する測色装置１３と、各種処理や写真処理装置の実質的な制御を行う演算処理装置１４とを備えている。
【００１７】
前記モニター１０には、ブラウン管モニター或いは液晶モニターを採用することができ、本実施形態においてはブラウン管モニターが採用されている。前記入力手段１１には、キーボード１１０とマウス１１１とが採用されている。
【００１８】
本実施形態に係る読取手段１２には、帯状のフィルムＦに形成された複数の駒画像を読み取るフィルムスキャナ１２ａと、ＣＤ−Ｒ／ＲＷやメモリカード等の各種メディアＭからデータ（例えば、画像データ）を読み込むメディアドライブ１２ｂとが採用されている。前記フィルムスキャナ１２ａは、フィルムＦを長手方向に搬送しつつ、フィルムＦから各駒画像を画像データとして順々に読み取るようになっており、読み取った各画像データを演算処理装置１４に伝送するようになっている。
【００１９】
本実施形態に係るフィルムスキャナ１２ａは、フィルムＦに形成された駒画像のそれぞれに対し、二回読み取るようになっている。そして、演算処理装置１４の作動により、一回目の読み取り処理（以下、プレスキャンという。）で読み取った画像データ（複数の駒画像Ａ…）をモニター１０に表示させ（以下、複数の駒画像Ａ…を表示する画面をＰＪＰ画面５０という。：図５参照）、該ＰＪＰ画面５０上で各駒画像を適正な状態にする補正条件（画像補正データ）を設定できるようになっている。該フィルムスキャナ１２ａは、二回目の読み取り処理（以下、本スキャンという。）でプレスキャンよりも高精度（高画素）で各駒画像を読み取るようになっており、制御部１（演算処理装置１４）が、本スキャンで読み取った各駒画像の画像データに対してＰＪＰ画面５０で設定した補正条件（画像補正データ）を反映させた合成画像（合成画像データ）を内部的に作成するように構成されている。
【００２０】
前記メディアドライブ１２ｂは、上述の如く、各種メディアＭに記憶された画像データを読み取り（読み込み）可能に構成されており、読み取った画像データを演算処理装置１４に伝送するようになっている。そして、この場合においても、演算処理装置１４の作動により、メディアＭから読み取った画像データ（複数の画像Ａ…）を前記ＰＪＰ画面５０に表示させ、ＰＪＰ画面５０上で各画像にあった補正条件（画像補正データ）を設定できるようになっている。そして、制御部１（演算処理装置１４）が、メディアＭから読み取った各画像データに対してＰＪＰ画面５０で設定した補正条件（画像補正データ）を反映させた合成画像（合成画像データ）を内部的に作成するように構成されている。
【００２１】
前記測色装置１３は、色調を測定する装置であり、読み取った画像データを印画紙Ｐの発色特性に適合化させる発色補正データを設定（セットアップ）するために使用される。すなわち、印画紙Ｐは、メーカーや生産ロット、種類等の印画紙Ｐにおける各種条件）やプリント部２（露光処理部２０の露光条件や、現像処理部２１の現像条件）等に影響を受け、常に同じ発色状態になりにくいため、本実施形態に係る写真処理装置は、画像データを印画紙Ｐの発色特性にあったものに補正するための発色補正データを該測色装置１３による測色結果を基に設定するようになっている。
【００２２】
本実施形態に係る測色装置１３は、予め設定された基準となる色見本（基準パターン）と、マガジン２００ａ，２００ｂに収納された印画紙Ｐを用いて出力されたテストプリントのテストパターンとを測定するようになっている。前記テストパターンおよび基準パターンは、何れも所定の色を段階的に変化（グラデーション）させたものである。なお、基準パターンは、予め演算処理装置に記憶させておいてもよいが、本実施形態においては、測色装置１３の測定誤差を考慮して、セットアップ時に基準パターンが印刷されたプレートを用いるようにしており、印刷された基準パターンの測色結果をテストパターンとの比較の基準とするようにしている。
【００２３】
そして、本実施形態に係る写真処理装置は、前記演算処理装置１４がテストプリント（テストパターン）の測定結果と基準パターンの測定結果との差分を抽出（算出）し、該差分を基に、読み取った画像データをテストプリントに用いた印画紙で適正に出力させる補正条件（発色補正データ）が設定されるようになっている。
【００２４】
これにより、フィルムＦやメディアＭ等から読み取った画像データ（一次的に記憶手段に記憶させた画像データを含む）に対して発色補正データ及び画像補正データを反映させることで、各種の処理条件に適合した合成画像データを基にプリント出力できるようになっている。
【００２５】
前記演算処理装置１４は、制御の主体となるＣＰＵ１４０や、当該演算処理装置１４（ＣＰＵ１４０）を作動させるソフトウェア等を記憶したＲＯＭ１４１、ＣＰＵ１４０がソフトウェアを実行する際の作業領域や、一時的なファイルの記憶領域等に活用されるＲＡＭ１４２（記憶手段）等から構成されている。該演算処理装置１４には、Ｉ／Ｏインターフェイス１４４を介してモニター１０、入力手段１１（キーボード１１０、マウス１１１）、フィルムスキャナ１２ａ（読取手段１２）、メディアドライブ１２ｂ（読取手段１２）、測色装置１３が接続されている。
【００２６】
また、制御部１は、ＣＰＵ１４０に実行させるアプリケーション等のソフトウェア等が記憶されたハードディスクドライブ１４３を備えており、本実施形態においては、ハードディスクドライブ１４３についてもＩ／Ｏインターフェイス１４４を介して演算処理装置１４に接続されている。なお、ハードディスクドライブ１４３は、ＲＡＭ１４２と同様に、ＣＰＵ１４０がソフトウェアを実行する際の作業領域や、一時的なファイルの記憶領域等に活用するようになっており、演算処理装置１４の一構成（記憶手段）としての役目も担っている。
【００２７】
本実施形態に係るプリント部２は、印画紙Ｐに露光処理を行う露光処理部２０と、露光処理部２０で露光処理された印画紙Ｐを現像処理する現像処理部２１と、現像処理部２１で現像処理された印画紙Ｐを乾燥させる乾燥処理部２２とを備えている。
【００２８】
前記露光処理部２０は、ロール状にされた長尺な印画紙Ｐを収納する一対のマガジン２００ａ，２００ｂ（収納手段）と、該マガジン２００ａ，２００ｂから引き出された印画紙Ｐを所定の長さで切断する切断装置２０１と、該切断装置２０１により切断された印画紙Ｐを下流に向けて搬送する搬送装置２０２と、該搬送装置２０２により搬送されてきた印画紙Ｐを露光処理する露光装置（プリント手段）２０３とで構成されている。該露光処理部２０は、各構成間に搬送ローラ（採番しない。）が配設されており、マガジン２００ａ，２００ｂから引き出された印画紙Ｐを下流側（前記現像処理部２１）に搬送できるように構成されている。なお、本実施形態に係る写真処理装置は、上述の如く、印画紙Ｐを露光・現像処理によってプリント処理を行うため、前記露光装置２０３と現像処理部２１とでプリント手段を構成している。
【００２９】
前記一対のマガジン２００ａ，２００ｂのそれぞれは、ロール状にした印画紙Ｐを軸支可能に構成され、印画紙Ｐを円滑に引き出せるようになっている。各マガジン２００ａ，２００ｂに収納される印画紙Ｐは、乳剤面を外側にして芯材に対してロール状に巻かれており、各マガジン２００ａ，２００ｂは、前記芯材を軸支可能且つ着脱自在に構成されており、印画紙Ｐの交換を容易に行えるようになっている。なお、本実施形態においては、各マガジン２００ａ，２００ｂに、サイズ（幅サイズ）の異なる印画紙Ｐを収納するようになっている。
【００３０】
前記切断装置２０１は、マガジン２００ａ，２００ｂの下流側に設けられている。本実施形態においては、一対のマガジン２００ａ，２００ｂに対して切断装置２０１を共有させるべく、該切断装置２０１は、露光処理部２０内の下部に配置された前記一対のマガジン２００ａ，２００ｂ間に設けられている。該切断装置２０１は、マガジン２００ａ，２００ｂから引き出された印画紙Ｐを切断すべく、互いに接離する一対のカッター２０１ａ，２０１ｂを備えている。
【００３１】
前記露光装置２０３は、露光処理部２０内の上部に設けられており、搬送中の印画紙Ｐの乳剤面を露光する露光ヘッド２０４を備えている。該露光ヘッド２０４は、ハロゲンランプ等からなる光源２０４ａと、該光源２０４ａに光ファイバー束２０４ｂを介して接続された光シャッター２０４ｃとで構成されており、該光シャッター２０４ｃは、印画紙Ｐの搬送方向と直交したライン状をなし、搬送される印画紙Ｐの乳剤面と対向するように設けられている。
【００３２】
前記光シャッター２０４ｃは、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２０４ｃは、読み込まれた画像データに基づいて、制御部１のＣＰＵ１４０から電圧の印加、及び印加の停止が指示され、光源２０４ａからの光の透過及び遮断が制御されて印画紙ＰにＲＧＢ各色の光を照射して露光し得るように構成されている。なお、本実施形態においては、光シャッター２０４ｃ等を備えた露光ヘッド２０４を採用しているが、レーザー光を照射するレーザー露光ヘッドであっても勿論よい。
【００３３】
前記現像処理部２１は、現像処理液が貯留される現像処理液槽２１０と、該現像処理液槽２１０内の現像処理液に対して印画紙Ｐを浸漬して引き上げる動作を繰り返すように、印画紙Ｐを搬送する搬送系２１１とを備えている。前記現像処理液槽２１０は、複数の液槽２１０ａ，２１０ｂ…が横並びに配置されることで構成されている。各液槽２１０ａ，２１０ｂ…には、印画紙Ｐに対して現像処理、漂白処理、定着処理、安定処理を行うための現像処理液が貯留されている。即ち、各液槽２１０ａ，２１０ｂ…には、上流側から順に現像液（ＣＤ）、漂白・定着液（ＢＦ）、安定液（ＳＴ）、洗浄液が貯留されている。前記搬送系２１１は、現像処理液槽２１０（各液槽２１０ａ，２１０ｂ…）の現像処理液（現像液、漂白・定着液、安定液、洗浄液）中で印画紙Ｐを搬送する液中搬送系２１１ａと、各液槽２１０ａ，２１０ｂ…から引き上げられた印画紙Ｐを下流側で隣接する液槽２１０ａ，２１０ｂ…内に導きつつ搬送する外部搬送系２１１ｂとで構成されており、各搬送系２１１（２１１ａ，２２１ｂ）のそれぞれは、複数の搬送ローラ対により構成されている。
【００３４】
前記乾燥処理部２２は、現像処理部２１から送られてきた印画紙Ｐに熱風を吹き付け、印画紙Ｐに付着した現像液（水分）を乾燥させるようになっている。なお、本実施形態に係る写真処理装置は、乾燥処理部２２で乾燥処理された印画紙Ｐを仕分ける仕分装置２３を備えており、順次搬送されてくる枚葉状の印画紙Ｐをサイズ別、或いはオーダー別に仕分けて回収できるようになっている。
【００３５】
本実施形態に係る写真処理装置は以上の構成からなり、以下に、本実施形態に係る写真処理装置の特徴部分であるプリント処理（特には、プリント処理を行うための合成画像データの作成乃至プリント出力に係る処理）について図３乃至図６を参照しつつ説明する。
【００３６】
まず、図３に示す如く、例えば写真処理装置の起動時など、画像データの読み取り及びプリント処理を行う前にセットアップを行い、前記発色補正データを設定しておく（Ｓ１０）。なお、この段階で行うセットアップは、後述する印画紙Ｐの交換時に行うセットアップと同様であるので、後述のセットアップ方法（印画紙Ｐを交換する際のセットアップ方法）を参照し、ここでの説明は割愛することとする。
【００３７】
そして、セットアップを行った後、プレスキャンを行い、フィルムＦに形成された複数の駒画像Ａ…を画像データとして読み取る（Ｓ２０）。そうすると、モニター１０には、プレスキャンした複数の駒画像Ａ…がマトリックス状に配置されたＰＪＰ画面（図５参照）が表示される（Ｓ３０）。なお、モニター１０の一画面上で駒画像を表示できる数に限りがあるため、本実施形態においては、プレスキャンで読み取った複数の駒画像Ａ…（例えば、２４枚撮りのフィルムＦであれば２４駒の画像）を所定駒数（図５においては６駒）ずつ、段階的に表示するようになっている。
【００３８】
そして、ＰＪＰ画面５０において、作業者が各駒画像の状態（色調等の状態）を確認し、各種の補正条件（画像補正データ）を設定する（Ｓ４０）。この画像補正データの設定は、ＰＪＰ画面５０上に設けられた設定ボタンＢ等を入力手段１１で適宜操作することで行われる（図５参照）。このように画像補正データを設定した後、本スキャンが実行され、少なくともＰＪＰ画面５０に表示されている駒画像Ａ…を対象にしてフィルムＦから画像データが読み取られる（Ｓ５０）。本実施形態においては、ＰＪＰ画面５０に６駒の駒画像Ａ…が表示されているので、本スキャンは、それに対応する６駒分の駒画像に対して順々に実行されることになる。
【００３９】
そして、ＰＪＰ画面５０において各駒画像Ａ…に対して設定した画像補正データと、セットアップ（Ｓ１０）で設定した発色補正データとを、本スキャンで読み取った各駒画像の画像データに反映させた補正画像（出力用の合成画像データ）が各駒画像毎に順々に作成される（Ｓ６０）。そして、Ｓ６０で合成画像データが作成される度に、該合成画像データを基にしてプリント部２が印画紙Ｐに対してプリント処理（露光処理及び現像処理）を行い（Ｓ７０）、ＰＪＰ画面５０に表示された（画像補整データを設定した）各駒画像Ａ…の全てを残りの印画紙Ｐでプリント処理することができる（印画紙Ｐの消耗に伴ってプリント処理が中断することがない）と判断されると（Ｓ８０でＹＥＳ）、順々に作成される合成画像データに基づいてプリント処理が続行される（Ｓ９０）。なお、本実施形態においては、合成画像データの作成とプリント処理とを平行処理すべく、作成された合成画像データは、プリント処理を行える状態になるまで、記憶手段（ＲＡＭ１４２、或いはハードディスクドライブ１４３）に一時的に記憶（退避）される。
【００４０】
そして、プリント処理が未処理の画像データ（本実施形態においてはＰＪＰ画面５０に表示されていない画像データ）がある場合（Ｓ１００でＹＥＳ）、残りの駒画像Ａ…（画像データ）がＰＪＰ画面５０に表示され(Ｓ３０)、上述の場合と同様に、補正条件（画像補正データ）を設定（Ｓ４０）した後、対応する駒画像の本スキャンが実行される（Ｓ５０）。この場合においても、本スキャンによって得られた画像データにＳ１０で設定された発色補正データ及び画像補正データを反映させた合成画像（合成画像データ）が作成され(Ｓ６０)、該合成画像データを基にして順次プリント出力され(Ｓ７０)、未処理の画像データが存在する場合には、上述のＳ３０〜Ｓ１００の処理が繰り返し行われる。
【００４１】
その一方で、マガジン２００ａ，２００ｂ内の印画紙Ｐの残量が、プレスキャンで読み取った駒画像（本実施形態においては、ＰＪＰ画面５０に表示された駒画像Ａ）の全てをプリント出力することができない量である場合には、印画紙Ｐが無くなるまで、合成画像データの作成乃至プリント処理を行う（Ｓ３０〜Ｓ７０）。そして、プリント処理中において、ＰＪＰ画面５０で画像補整データを設定した駒画像Ａ…（未プリント処理の駒画像Ａ…）が存在するにも拘わらず、マガジン２００ａ，２００ｂ内の印画紙Ｐが無くなってプリント処理が中断すると判断されると（Ｓ８０でＮＯ）、プリント処理されていない合成画像データが破棄され（Ｓ１１０）、未処理の画像データ及び画像補正データ（破棄した合成画像データの基となっていた画像データ及び画像補正データを含む）が記憶手段１４２，１４３に記憶される(Ｓ１２０)。
【００４２】
また、プリント処理が中断したときの処理状況に関する情報（例えば、未処理の駒画像Ａ…を特定するための特定情報や、プリント処理を再開させる際の起算点等に関する情報、印画紙Ｐを交換する前の発色補正データ等）が記憶手段１４２，１４３に記憶される。なお、本実施形態においては、本スキャンの画像データ及び画像補正データは、独立して記憶手段に記憶させるようにしているが、本スキャンの画像データに画像補正データを反映させて一次的な合成画像データを作成した状態で、当該合成画像データを記憶手段１４２，１４３に記憶させるようにしてもよい。
【００４３】
そして、モニター１０には、印画紙Ｐが無くなった旨の警告画面６０（図６（イ）参照）が表示され、作業者は、これに従ってマガジン２００ａ，２００ｂに対して印画紙Ｐの交換を行うことになる。前記警告画面６０には、図６（イ）に示す如く、種類の異なる印画紙Ｐの交換に伴ってセットアップの実行を指示するセットアップボタン（図６（イ）においては、「ＰＡＳＳ：セットアップ」ボタン）６２、セットアップを行うことなくプリント処理を再開する再スタートボタン（図６（イ）においては、「ＹＥＳ：再スタート」ボタン）６３、作業の終了を指示する終了ボタン（図６（イ）においては、「Ｎｏ：終了」ボタン）６４が設けられている。
【００４４】
図３に戻り、印画紙Ｐを交換した後に作業者がセットアップボタン６２を操作すると、演算処理装置１４が上述したセットアップを実行する（Ｓ１３０）。具体的には、作業者がセットアップボタン６２を操作すると、演算処理装置１４の指示に基づき、交換された印画紙Ｐを用いてプリント部２（露光処理部２０、現像処理部２１）がテストプリントを出力する。そして、作業者がテストプリントを測色装置１３にセットすると、テストプリントの所定箇所の各濃度を読み取り、基準パターンとテストパターンとの測色結果の差分に基づき、テストプリントに用いた印画紙Ｐ（以後のプリント処理に用いる印画紙Ｐ）に対する発色補正データが自動的に設定されることになる（Ｓ１３０）。
【００４５】
そして、警告画面６０内の表示が切り替わり、作業者に対して、中断しているプリント処理の再開の有無を確認する表示となる（図６（ロ）参照）。この状態における警告画面６０には、中断しているプリント処理の再開（再スタート）を指示するため再スタートボタン（図６（ロ）においては、「ＹＥＳ：再スタート」ボタン）６５と、プリント処理を終了する終了ボタン（図６（ロ）においては、「ＮＯ：終了」ボタン）６６が設定されている。
【００４６】
そして、作業者が再スタートボタン６５を操作すると（Ｓ１４０でＹＥＳ）、記憶手段１４２，１４４内に画像データ及び画像補正データが記憶されているか否かが判断される（Ｓ１５０）。Ｓ１５０で画像データ等が記憶手段１４２，１４３内に記憶されていると判断された場合（Ｓ１５０でＹＥＳ）、画像データ、画像補正データ、及びＳ１３０で設定した発色補正データを基に合成画像データが作成され（Ｓ１６０）、該合成画像データを基にプリント処理が再開（プリント出力）される（Ｓ７０）。
【００４７】
即ち、作業者が再スタートボタン６５を操作すると、記憶手段（ＲＡＭ１４２、或いはハードディスクドライブ１４３）に記憶させたプリント処理の処理状況（プリント処理を再開する起算点）を基に、プリント処理を再開する際の駒画像Ａが特定され、該駒画像Ａに対応する画像データ（本スキャンで読み取って記憶手段に記憶させた画像データ）、及び、ＰＪＰ画面５０で設定した画像補正データが読み出される。そして、読み出された画像データに対して再設定（再セットアップ）による発色補正データと、記憶させておいた画像補正データとを反映させた合成画像（合成画像データ）が作成され（Ｓ１６０）、該合成画像データを基にプリント出力が再開されることになる（Ｓ７０）。画像補正データの設定乃至プリント処理が行われていない画像データが残っている場合には（Ｓ１００でＹＥＳ）、Ｓ３０〜Ｓ１００の処理が繰り返され、一連のプリント処理が行われる。なお、Ｓ３０〜Ｓ１００の処理の最中に、上述のように印画紙Ｐが無くなってプリント処理が中断される場合には（Ｓ８０でＮＯ）、上述の如く、Ｓ１１０〜Ｓ１６０の工程に移行することは勿論のことである。
【００４８】
なお、本実施形態においては、交換した印画紙Ｐが先に使用していた印画紙Ｐと発色特性が同じものであると作業者が判断できる場合に、プリント処理が中断される前の条件でプリント処理を再開できるようになっており、作業者が警告画面６０（表示が切り替わる前の警告画面６０：図６（イ））上の再スタートボタン６３を操作すると、読み出された画像データに対し、記憶させておいた発色補正データ（中断前と同じ発色補正データ）と画像補正データとを反映させた合成画像（合成画像データ）の作成を行い、該合成画像データを基にプリント出力を再開するようにしている。図３においては、印画紙Ｐを交換する前の発色補正データを継続して画像データに反映させる場合のフローは割愛している。
【００４９】
次に、メディアＭから読み取った画像データをプリント処理する場合について説明する。まず、図４に示す如く、画像データの読み取り及びプリント処理を行う前にセットアップを行い、前記発色補正データを設定しておく（Ｓ２００）。
【００５０】
そして、セットアップを行った後、メディアＭから複数の画像データを読み取る（Ｓ２１０）。そうすると、モニター１０には、複数の画像Ａ…がマトリックス状に配置されたＰＪＰ画面（図５参照）が表示される（Ｓ２２０）。なお、この場合においても、画像を表示できる数に限りがあるため、ＰＪＰ画面５０は、読み取った複数の画像Ａ…を所定数ずつ、段階的に表示するようになっている。
【００５１】
そして、ＰＪＰ画面５０において、作業者が各画像の状態（色調等の状態）を確認し、各種の補正条件（画像補正データ）を設定する（Ｓ２３０）。この補正条件の設定は、フィルムＦから画像データを読み取った場合と同様である。
【００５２】
そして、ＰＪＰ画面５０において各画像Ａ…に対して設定した画像補正データと、セットアップ（Ｓ２００）で設定した発色補正データとを、メディアＭから読み取った画像データに反映させた補正画像（出力用の合成画像データ）が画像毎に順々に作成される（Ｓ２４０）。そして、Ｓ２４０で合成画像データが作成される度に、該合成画像データを基にしてプリント部２が印画紙Ｐに対してプリント処理（露光処理及び現像処理）を行い（Ｓ２５０）、ＰＪＰ画面５０に表示された（画像補整データを設定した）各画像Ａ…の全てを残りの印画紙Ｐでプリント処理することができる（印画紙Ｐの消耗に伴ってプリント処理が中断することがない）と判断されると（Ｓ２６０でＹＥＳ）、順々に作成される合成画像データに基づいてプリント処理が続行される（Ｓ２７０）。
【００５３】
そして、未処理の画像データがある場合（Ｓ２８０でＹＥＳ）、該未処理の画像Ａ…がＰＪＰ画面５０に表示され(Ｓ２２０)、フィルムの画像データと同様に、補正条件（画像補正データ）を設定（Ｓ２３０）した後、メディアＭから読み取った画像データに発色補正データ及び画像補正データを反映させた合成画像（合成画像データ）が作成され(Ｓ２４０)、該合成画像データを基にしてプリント出力されることになる(Ｓ２５０)。
【００５４】
その一方で、マガジン２００ａ，２００ｂ内の印画紙Ｐの残量が、メディアから読み取った画像（本実施形態においては、ＰＪＰ画面５０に表示された画像Ａ）の全てをプリント出力することができない量である場合には、印画紙Ｐが無くなるまで、合成画像データの作成乃至プリント処理が行われる（Ｓ２００〜Ｓ２５０）。そして、マガジン２００ａ，２００ｂの印画紙Ｐが無くなる（Ｓ２６０でＮＯ）と、作業者が印画紙Ｐの交換を行うことになる。そして、プリント処理されていない合成画像データが破棄され（Ｓ２９０）、未処理の画像データ及び画像補正データ（破棄した合成画像データとなった画像データ及び画像補正データを含む）が記憶手段１４２，１４３に記憶される(Ｓ３００)。また、プリント処理が中断したときの処理状況に関する情報（例えば、未処理の画像Ａ…を特定した特定情報や、プリント処理を再開させる際の起算点等に関する情報、印画紙Ｐを交換する前の発色補正データ等）が記憶手段１４２，１４３に記憶される。
【００５５】
そして、モニター１０には、印画紙Ｐが無くなった旨の警告画面６０（図６（イ）参照）が表示され、作業者は、これに従ってマガジン２００ａ，２００ｂに対して印画紙Ｐの交換を行うことになる。作業者がセットアップボタン６２を操作すると、演算処理装置１４の指示に基づき、交換された印画紙Ｐを用いて露光処理部２０、現像処理部２１でテストプリントが出力される。そして、作業者がテストプリントを測色装置１３にセットすると、自動的に発色補正データが設定されることになる（Ｓ３１０）。
【００５６】
そして、警告画面６０内の表示（図６（ロ）参照）が切り替わり、作業者に対して、中断しているプリント処理の再開の有無を確認する表示となる。そして、作業者が再スタートボタン６５を操作すると（Ｓ３２０でＹＥＳ）、記憶手段１４２，１４３内に未処理のデータがあるか否かが判断され（Ｓ３３０）、記憶手段１４２，１４３内に未処理の画像データ等があると判断された場合（Ｓ３３０でＹＥＳ）、画像データ、画像補正データ、及びＳ３１０で設定した発色補正データを基に合成画像が作成され（Ｓ３４０）、Ｓ３４０で作成された合成画像データを基にプリント処理が再開（プリント出力）される（Ｓ２５０）。
【００５７】
画像補正データの設定乃至プリント処理が行われていない画像データが残っている場合には（Ｓ２８０でＹＥＳ）、Ｓ２２０〜Ｓ２８０の工程が繰り返され、一連のプリント処理が行われる。なお、メディアＭから画像データを全て読み取って順次ＰＪＰ画面５０に表示してもよいが、ＰＪＰ画面５０に表示させる画像を順次メディアＭから読み取るようにしてもよい。Ｓ２２０〜Ｓ２８０の工程の最中に、上述のように印画紙Ｐが無くなってプリント処理が中断される場合には（Ｓ２６０でＮＯ）、上述の如く、Ｓ２９０〜Ｓ３４０の工程に移行することは勿論のことである。
【００５８】
以上のように、本実施形態に係る写真処理装置は、マガジン２００ａ，２００ｂ内の印画紙Ｐが無くなってプリント処理が中断したときに、プリント処理が行われていない画像データを記憶する記憶手段（ＲＡＭ１４２、ハードディスク１４３）を備えているので、プリント処理を再開するにあたり、画像データを再度読み取る作業や、補正条件（画像補正データ）を再設定する作業等を行う必要がない。その上、記憶手段１４２，１４３に記憶させた画像データに対し、交換された印画紙Ｐで出力されたテストプリントに基づいて設定された発色補正データを反映させるようにしたので、これによって作成される合成画像データが、交換後の印画紙Ｐの発色特性に適合化されたものとなり、印画紙Ｐの種類等が変更されても、一連のプリント処理の全体を通じて品質良好なプリントを得ることができる。
【００５９】
さらに、本実施形態においては、読み取った画像データを適正化する画像補正データを設定可能に構成し、プリント処理が中断したときに、画像データと共に画像補正データを記憶させると共に、プリント処理を再開するに当たって画像データに対して画像補正データと、新たに設定した発色補正データとを反映させて合成画像データを作成するようにしたので、読み取った画像データを所望する色調や明度等に調整した上で、更に交換された印画紙Ｐの発色特性に適合化させることができ、高品質な画像が要求される写真処理分野において好適である。
【００６０】
また、本実施形態において、フィルムＦに形成された複数の駒画像Ａ…をフィルムスキャナ１２ａでプレスキャンと本スキャンを行い、プレスキャンで読み取った各画像データを基に設定した画像補正データ及び発色補正データを本スキャンで読み取った画像データに反映させるようにしたので、極めて高品質なプリントを得ることができる。
【００６１】
即ち、プレスキャンで読み取った粗い画像データ（画像）を適正な画像にすることのできる画像補正データを設定した上で、精度の高い本スキャンで得られた密な画像データに画像補正データを反映させることで、高品質なプリント（合成画像：合成画像データ）を得ることができる。さらに、画像データに発色補正データを反映させて合成画像データとすることで、印画紙Ｐの発色特性に適合したものとなり、メーカーや生産ロット、種類等の異なる印画紙Ｐに交換されても、極めて高品質なプリントを得ることができる。
【００６２】
尚、本発明に係る写真処理装置は、上記実施形態に限定されるものではなく、本発明の要旨を逸脱しない範囲内において種々変更を加え得ることは勿論である。
【００６３】
上記実施形態において、フィルムスキャナ１２ａでフィルムＦに形成された各駒画像に対し、プレスキャン及び本スキャンで２回読み取り、プレスキャンで得られた画像を基に設定した補正条件（画像補正データ）を本スキャンで得られた高品質な画像データに反映させるようにしたが、これに限定されるものではなく、例えば、メディアＭから画像データを読み取った場合と同様に、フィルムスキャナ１２ａで各駒画像を画像データとして一回読み取り、この画像データを基に設定した画像補正データを当該画像データに反映させるようにしてもよい。この場合、読み取った画像を出力対象にするので、画像データを読み取るには、上記実施形態における本スキャンと同様の精度で画像を読み取ることが好ましい。
【００６４】
上記実施形態において、ＰＪＰ画面５０上に所定数の画像（駒画像）を表示し、これを基に画像補正データを設定するようにしたが、ＰＪＰ画面５０での画像の表示態様はこれに限定されるものではなく、例えば、読み取った画像の全てを表示し、それぞれに対して補正条件を設定するようにしてもよい。
【００６５】
但し、このように読み取った画像の全てをＰＪＰ画面５０上に表示したり、印画紙Ｐが無くなったときに画像データを記憶したりすると、多くの画像に対する処理を行う必要があるため、ＣＰＵ１４０等に大きな負荷がかかることになり、ＣＰＵ１４０等の性能によっては処理速度が低下する虞があるため、上記実施形態と同様に、所定数の画像を段階的に表示及び記憶するようにすることが好ましい。
【００６６】
上記実施形態において、読み取った画像データのそれぞれに画像補正データを設定し、これを反映させた合成画像データを作成するようにしたが、これに限定されるものではなく、例えば、メディアＭから読み取った画像等が既に画像補正データを反映させた高品質なものである場合には、そのメディアＭから読み取った画像データに発色補正データのみを反映させるようにすればよい。従って、写真処理装置にフィルムスキャナ１２ａを設けずに、読取手段１２をメディアドライブ１２ｂのみとし、補正後の画像データのみを処理する専用機とする場合には、必ずしも補正手段を設ける必要はなく、マガジン２００ａ，２００ｂに装填した印画紙Ｐに関する情報（発色補正データ）のみを反映させた合成画像データを基にプリント出力するようにすればよい。
【００６７】
但し、写真処理装置は、不特定多数の顧客からプリント処理を受け付ける写真店等で採用されるものであるため、画像の読み取りの制限を無くすべく、上記実施形態と同様に、フィルムスキャナ１２ａやメディアドライブ１２ｂ等を設けると共に、補正手段（画像に対して補正可能に構成された補正手段としての演算処理装置１４）を併せて設けることが好ましいことは言うまでもない。
【００６８】
上記実施形態において、マガジン２００ａ，２００ｂに印画紙Ｐを交換するに際し、プリント処理のされていない画像データ（未処理状態にある画像データ）を記憶手段１４２，１４３に記憶させるようにしたが、これに限定されるものではなく、例えば、未処理状態の画像データと共に、処理済みの画像データも記憶手段１４２，１４３に記憶させるようにしてもよい。このようにすれば、読み取った画像データの全てに対するプリント処理が完了した後に、記憶させた画像データを基に、全ての画像をマトリックス状に配置したインデックスプリントを作成することができる。
【００６９】
また、上記実施形態において、一対のマガジン２００ａ，２００ｂに異なるサイズの印画紙Ｐを収納するようにしたが、各マガジン２００ａ，２００ｂに同じサイズの印画紙Ｐを収納するようにし、一方のマガジン２００ａの印画紙Ｐが無くなったときに、マガジン２００ａ，２００ｂを自動的に切り換え、他方のマガジン２００ｂから露光処理部２０に印画紙Ｐを送り込むようにように構成するようにしてもよい。この場合、マガジン２００ａ，２００ｂに対して印画紙Ｐを交換する際、及び一方のマガジン２００ａから他方のマガジン２００ｂに切り替わる際に、印画紙Ｐが無くなったとして、合成画像データの廃棄（図３：Ｓ１１０，図４：Ｓ２９０）、画像データ及び画像補正データの記憶（図３：Ｓ１２０，図４：Ｓ３００）、セットアップ（図３：Ｓ１３０，図４：Ｓ３１０）、合成画像データの作成（図３：Ｓ１６０，図４：Ｓ３４０）の順で処理を行うようにすればよい。このようにしても、上記実施形態と同様に、画像データを読み直すことなく、印画紙Ｐの発色特性に合わせた良好なプリントを出力することができる。
【００７０】
上記実施形態において、印画紙Ｐを交換した時にセットアップを行うことなくプリント処理を再開させる場合（交換した印画紙Ｐが先に使用していた印画紙Ｐと発色特性が同じものであると作業者が判断できる場合）に、プリント処理が中断される前の条件でプリント処理を再開できるように、読み出された画像データに対し、中断前と同じ発色補正データと画像補正データとを反映させた合成画像を作成してプリント出力するようにしたが、これに限定されるものではなく、このようにセットアップを行わない場合には、作成した合成画像データを廃棄することなくそのまま記憶させておき、再開時に当該合成画像データを基にプリント出力するようにしてもよい。
【図面の簡単な説明】
【００７１】
【図１】本発明の一実施形態に係る写真処理装置の全体斜視図を示す。
【図２】同実施形態に係る写真処理装置の概略構成図を示す。
【図３】同実施形態に係る写真処理装置での処理フロー図であって、フィルムから読み取った画像データに対する処理フローを示す。
【図４】同実施形態に係る写真処理装置での処理フロー図であって、メディアから読み取った画像データに対する処理フローを示す。
【図５】同実施形態に係る写真処理装置のモニターに表示されるＰＪＰ画面を示す。
【図６】同実施形態に係る写真処理装置のモニター上に表示される警告画面であって、（イ）は、セットアップの有無を選択する画面状態を示し、（ロ）は、（イ）の表示状態から切り替わり、プリント処理の再開を指示する画面状態を示す。
【符号の説明】
【００７２】
１…制御部、２…プリント部（プリント手段）、１０…モニター、１１…入力手段、１２…読取手段、１２ａ…フィルムスキャナ（読取手段）、１２ｂ…メディアドライブ（読取手段）、１３…測色装置、１４…演算処理装置、２０…露光処理部、２１…現像処理部、２２…乾燥処理部、２３…仕分装置、５０…ＰＪＰ画面、６０…警告画面、６２…セットアップボタン、６３，６５…再スタートボタン、１１０…キーボード、１１１…マウス、１４０…ＣＰＵ、１４１…ＲＯＭ、１４２…ＲＡＭ（記憶手段）、１４３…ハードディスクドライブ（記憶手段）、１４４…Ｉ／Ｏインターフェイス、２００ａ，２００ｂ…マガジン（収納手段）、２０１…切断装置、２０１ａ，２０１ｂ…カッター、２０２…搬送装置、２０３…露光装置、２０４…露光ヘッド、２０４ａ…光源、２０４ｂ…光ファイバー束、２０４ｃ…光シャッター、２１０…現像処理液槽、２１０ａ，２１０ｂ…液槽、２１１…搬送系、２１１ａ…液中搬送系、２１１ｂ…外部搬送系、Ｂ…設定ボタン、Ｐ…印画紙、Ａ…画像
【図１】
2006319382.tif 000003
【図２】
2006319382.tif 000004
【図３】
2006319382.tif 000005
【図４】
2006319382.tif 000006
【図５】
2006319382.tif 000007
【図６】
2006319382.tif 000008